(57)【要約】画像記録装置用インクセットは、第１インクと、第１インクと同系色で、かつ濃度が異なる第２インクとを含んでいる。前記第２インクは、その色相が前記第１インクの色相に近づくように、前記第１インクとは異系色の色剤４が混入されている。
2003062333.tif 000002
【特許請求の範囲】
【請求項１】
第１インクと、
第１インクと同系色で、かつ濃度が異なる第２インクとからなる画像記録装置用インクセットにおいて、
前記第２インクは、その色相が前記第１インクの色相に近づくように、前記第１インクとは異系色の色剤が混入されていることを特徴とする画像記録装置用インクセット。
【請求項２】
前記第２インクは、前記第１インクに対して濃度が低いことを特徴とする請求項１に記載の画像記録装置用インクセット。
【請求項３】
前記第２インクは、前記第１インクを希釈したものを有していることを特徴とする請求項２に記載の画像記録装置用インクセット。
【請求項４】
前記第２インクは、第１インク以外の色剤により作られていることを特徴とする請求項１に記載の画像記録装置用インクセット。
【請求項５】
前記第１インクと前記第２インクとは、色相角度が約±８°以内であることを特徴とする請求項１に記載の画像記録装置用インクセット。
【請求項６】
前記第１インクを使用し始める階調レベルを表現するための第１インクによる画像の色相と、第１インクを使用し始める階調レベルを表現するための第２インクによる画像の色相とが近づくように、前記第２インクには、色剤が混入されていることを特徴とする請求項１に記載の画像記録装置用インクセット。
【発明の詳細な説明】
技術分野
本発明は、記録媒体に対して画像を記録するための複数のインクを具備している画像記録装置用のインクセットに関している。
背景技術
画像記録装置は、種々のものが知られている。近年では比較的安価で小型であるという理由で、インクジェット記録方式を採用したインクジェットプリンタが広く使用されている。このようなインクジェットプリンタは、インク滴を記録媒体に向けて吐出し、記録媒体上に画像を記録する。
前記インクジェットプリンタにおいて、記録する色の濃淡をつけるために種々の記録方法が採用されている。１つの記録方法としては、記録媒体に着弾したインクドットの単位面積当たりのドット数を増減させる。この記録方法によりグレースケールを記録した場合、階調レベルの低い部分は、少ない印字率で記録され、階調レベルの高い部分は、高い印字率で記録される。従って、濃度の高いインクで階調レベルの低い部分を記録しようとする場合には、記録された画像には、インクドットの粒状感が出てしまう。
なお、用語「印字率」は、記録媒体に記録される単位面積当たりのインクドット数を示している。例えば、３６０ｄｐｉの解像度で画像が記録される場合、１平方インチ中に配置された縦横３６０×３６０の格子点に、インクドットが全て記録されることを印字率１００％という。
前記インクドットの粒状感を目立たなくさせるための他の従来の記録方法として、濃度の異なるインクを用いる記録方法がある。この方法においては、複数の種類のインクを有している画像記録装置用インクセットが使用される。この画像記録装置用インクセットは、各色毎に、濃度の高いノーマルインクと、ノーマルインクに対して濃度の低いライトインクとを具備している。
なお、本明細書中において、１つの色を記録する際に複数のインクを使用する場合、ある１つのインクを第１インクとし、前記第１インクに対して濃度が異なるインクを第２インクとする。従って、上記画像記録装置用インクセットにおいて、前記ノーマルインクを第１インクとし、前記ライトインクを第２インクとする。
これらのインクを使用して２５６階調のグレースケールを記録するとき、インクジェットプリンタは、階調レベルの高い部分を主にノーマルインクで記録し、階調レベルの低い部分を主にライトインクで記録し、中間レベルの階調部分をノーマルインクとライトインクとの両方を用いて記録する。これにより前記インクジェットプリンタは、グレースケールの濃淡を表現している。さらに詳述すれば、低い階調からグレースケールを記録する際、図４に示すように、最初はライトインクのみを使用する。このとき、階調レベルが上がるに従って、印字率が、徐々に上げられる。前記ライトインクの印字率が１００％になった際、ライトインクの印字率は、減少を開始し、その代わりにノーマルインクの印字率が、上昇を開始する。なお、前記記録において、ノーマルインクの印字率が１００％になった際の階調レベルは、最大になる。即ち、ノーマルインクの印字率が１００％になった際の階調レベルは、２５５となる。
このように、上記方法において、ノーマルインク（第１インク）の印字の開始タイミングは、ライトインク（第２インク）の印字率が所定量に達した後に減少を開始したときである。上記説明を例にした場合、前記開始タイミングは、ライトインクの印字率が１００％に達した後の印字率が減少を開始した時である。即ち、ノーマルインクは、ライトインクの印字率が１００％に達した直後に印字を開始する。
なお、グレースケールを記録する際において、第１インクを使用し始める階調レベルを、本明細書中において、用語「印字開始レベル」とする。言い換えると、用語「印字開始レベル」は、濃度の異なる２つのインクによりグレースケールを記録する場合に、第２インクの印字率が減少を開始した際の第１インクの印字を開始するタイミング（階調レベル）を示している。従って、「前記印字開始レベルを、階調レベル（１２８）に設定」と記載された場合、前記開始タイミング時の階調レベルが１２８であることを示す。なお、この場合、階調レベル（１２８）でノーマルインクの印字が開始されることを意味している。
前記画像記録装置用インクセットにより記録されたグレースケールでは、前述のように階調レベルの低い部分がライトインクにより記録されるため、記録媒体上のインクドットの粒状感は目立たなくなる。
上記方法の上記画像記録装置用インクセットにおいて、ライトインクは、一般的に濃度の高いノーマルインクを溶剤で希釈することにより、作られている。このように製造された前記ライトインクは、前記溶剤により、色相が変化してしまう。この結果、印字開始レベルにおいて、記録媒体上に記録されたノーマルインクのＨｕｅ（色相）と、ライトインクのＨｕｅ（色相）とが大きく異なってしまう。
より詳細に説明すると、徐々に階調レベルを上げるようにグレースケールを記録する場合、前記印字開始レベルでは、ライトインクの印字に加えて、ノーマルインクでの印字も開始される。即ち、この印字開始レベルよりも高い階調レベルでは、グレースケールを色相が異なる２つのインクのインクドットで形成することになる。
このため、前記グレースケールにおいて、前記印字開始レベルを境に、色とびが目立ってしまう。前記用語「色とび」は、１つの色でグレースケールを表現しているにも関わらず、色の濃淡（明度）の異なる近接した階調領域を比べた際に、観測者が濃淡の違いのみならず色相の違いも感じてしまうことを指している。
前記印字開始レベルを境に前記色とびが目立つのは、前記色相が前記印字開始レベルを境に急激に変化するためである。即ち、上記従来の画像記録装置用インクセットを使用した場合、色相が異なる第１並びに第２インクが混在してグレースケールを構成する。この結果、前記印字開始レベルを境に、インクの色相が大きく異なるため、前記色とびが生じる。
グレースケールにおいて、色とびが目立ってしまうような画像記録装置用インクセットは、自然画を高品質に記録することが困難である。
上記課題を鑑みて本発明の目的は、色とびがなく、滑らかなグレースケールを形成し得る画像記録装置用インクセットを提供することである。また、本発明の他の目的は、記録媒体のインク吸収容量を圧迫しない画像記録装置用インクセットを提供することである。
発明の開示
前記課題を解決し目的を達成するために、本発明の画像記録装置用インクセットは、下記の如く構成されている。
本発明の画像記録装置用インクセットは、第１インクと、第１インクと同系色で、かつ濃度が異なる第２インクとを具備している。この画像記録装置用インクセットにおいて、前記第２インクは、その色相が前記第１インクの色相に近づくように、前記第１インクとは異系色の色剤が混入されている。
なお、この画像記録装置用インクセットの第１インクと第２インクとは、第１インクを使用し始める印字開始レベルにおける階調レベルにおいて、互いの色相が一致することが好ましい。
作用
このような画像記録装置用インクセットを用いることで、第１インクと第２インクとの色相が一致又は近似する。この結果、グレースケールを形成した場合においても、第１インクと第２インクとが混在して形成される階調レベルにおいて、色とびが目立たなくなる。
発明を実施するための最良の形態
以下、図面を参照しながら本発明の実施の形態について説明する。
まず、本発明に従った１つの実施の形態の画像記録装置用インクセットについて説明する。本実施の形態の画像記録装置用インクセットは、シアン、マゼンダ、イエロー及びブラックの各色を記録するためのインクを有している。上記画像記録装置用インクセットは、各色毎に、比較的濃度の高いインク（ノーマルインク）を具備している。さらに、画像記録装置用インクセットは、シアン及びマゼンタの前記ノーマルインクより濃度の低い補正ライトインクを具備している。
上記補正ライトインクは、本実施の形態において、ノーマルインクを希釈したライトインクに、色剤を加えることにより作られたインクである。上記補正ライトインクの色相は、前記色剤により、ノーマルインクの色相と一致若しくは近似するように調整されている。従来の画像記録装置用インクセットのライトインクは、上述したようにノーマルインクを溶剤によって希釈したものである。従って、従来の画像記録装置用インクセットにおいて、ノーマルインクとライトインクとの色相は、異なっている。この点が、本実施の形態の補正ライトインクと、従来のライトインクとは、異なっている。以下でより詳しく補正ライトインクについて説明する。
なお、本実施の形態の画像記録装置用インクセットを説明する上で、ノーマルインクを第１インクとし、上記補正ライトインクを第２インクとする。なお、ノーマルインクを単に希釈しただけのインク（希釈インク）を、従来と同様に、単にライトインクと称する。
なお、本実施の形態において、色相は、以下のように測定する。ただし、色相の測定方法は、下記の方法に限定されない。本実施の形態において、ノーマルインク、補正ライトインク、ライトインク、及び色剤の色相は、Ｄ６５光源においてＣＩＥ１９７６（Ｌ＊ａ＊ｂ＊）表色系により測定される。具体的には、上記各インクの色相は、図１中に示されているようなａ＊ｂ＊座標にプロットされて調べられる。なお、前記（Ｌ＊ａ＊ｂ＊）表色系において、Ｌ＊は、色の明度を示す。
また、本実施の形態においては、グレーススケールを印字する際の印字開始レベルは、階調レベル（１２８）に設定されている。また、本実施の形態の前記開始タイミングは、従来と同様に、１００％に設定されている。なお、上記印字開始レベル並びに開始タイミングは、画像記録装置の記録方法に合わせて任意に変更し得る。
前記色相の測定用のサンプルとして、印字開始レベルにおいて記録されたノーマルインク、ライトインク、及び補正ライトの記録画像が用いられる。これは、上記測定の結果を基に、補正ライトインクの色相を調整するためである。上記条件のサンプルを用いて色相を調整することは、前記印字開始レベルでの補正ライトインクと、前記ノーマルインクとの色相を一致若しくは近似させるために好ましい。
上記条件をより具体的に説明すると、ライトインク、及び補正ライトインクは、印字率１００％で印字された際の色相が調べられる。ノーマルインクは、単独で印字率を変化させて０階調〜２５５階調のグレースケールを記録した場合においての階調レベル（１２８）の色相が調べられる。
シアン系のノーマルインクとライトインクとをＬ＊ａ＊ｂ＊空間にプロットすると、図２に示すようになる。各色の色相は、ａ＊ｂ＊座標における色相角度（Ｈｕｅ  Ａｎｇｌｅ）によって示されている。上記色相角度を図２を参照してより具体的に説明する。
図２中において、ノーマルインクによる画像（階調レベル（１２８）を表現した画像）の色相をプロットした点は、参照符号１で指摘されている。また、前記ライトインクによる画像（階調レベル（１２８）を表現した画像）の色相をプロットした点は、参照符号２で指摘されている。
色相角度は、ａ＊ｂ＊座標の座標（０，０）と、プロットされた点とを結んだ直線と、ａ＊プラス軸との反時計回りの角度により示されている。本実施の形態では、シアンのノーマルインク（点１参照）は、角度αで示される約２５５°の色相角度を有している。また、ライトインク（点２参照）は、角度βで示される約２４０°の色相角度を有している。
これら２つのインクの色相の差は、色相角度の差により求められる。この実施の形態では２つのインクは、約１５°の色相角度差を有している。
観測者が、１つのグレースケール中において、２つの色の濃淡の異なる領域を比べた際に色とびを感じ始めるのは、前記領域の色相角度差が所定以上である場合である。本発明の発明者は、実験により、色相角度差が約±８°よりも大きくなると、色とびを認識する恐れが高くなると導き出している。従って、色とびを感じる所定量は、約±８°である。
なお、ノーマルインクとライトインクとの色相角度差は、約１５°である。従って、これらのインクによりグレースケールを記録した場合、ノーマルインクの印字開始レベル周辺において、色とびが目立ってしまう。
補正ライトインクは、ノーマルインクとの色相角度差が、所定量以内である約±８°以内に収まるように、ライトインクにさらに色剤が加えられて作成される。言い換えると、ライトインクは、色剤を加えられることにより、色相がノーマルインクと近似した補正ライトインクになる。なお、ノーマルインクと補正ライトインクとの色相角度差は、色とびが認識されない範囲に設定され得れば限定されることはないが、好ましくは、約±８°以内に、最も好ましくは略０°に設定される。
この色剤は、前述のように補正ライトインクの色相を調整するために、以下に示すように選定される。色剤の選定方法を、図２を参照して説明する。
シアンのライトインク（点２参照）は、角度αで示されるように約２４０°の色相角度を有しているが、シアンのノーマルインク（点１参照）の色相角度に比べて約１５°少ない。言い換えると、ノーマルインクは、ライトインクに対して反時計まわりに色相角度が約１５°大きい。このため、補正ライトインクは、この約１５°の色相角度差を約±８°の範囲に縮めるように、前記色剤が選定される。
より具体的には、前記色剤は、上記ライトインクの色相角度からノーマルインクの色相角度側にまわった色相角度を有するものが選定される。このため、本実施の形態においては、色剤は、ノーマルインクよりも反時計回り側に色相角度をもつものから選定される。例えば、図２中のシアン系のライトインクに加える色剤としては、参照符号４で示されるマゼンタ系の色剤が選定される。
上記色剤４により、補正ライトインクを作成した場合について説明する。色剤４をライトインクに加えたところ、点３で示される色相角度を持つ補正ライトインクが作成される。この補正ライトインクの色相角度γは２４７°であり、ノーマルインクの色相角度に比べてその差が±８°以内に収った。従って、上記選定方法により、選定された色剤は、本実施の形態の補正ライトインクを作成するのに適する。
このシアンの補正ライトインク（補正ライトシアンインク）と、シアンのノーマルインク（ノーマルシアンインク）とを具備する画像記録装置用インクセットにより、グレースケールを記録した場合について説明する。
この記録により形成されたグレースケールは、前記印字開始レベル近傍であっても色とびが目立たず、滑らかに濃淡が変化した。従って、本実施の形態の画像記録装置用インクセットは、色とびがなく、滑らかなグレースケールを形成し得る。従って、本実施の形態の画像記録装置用インクセットは、自然画を高品質に記録することが可能である。
なお、ライトインクの色相角度が、ノーマルインクより反時計回り側にある場合がある。このような場合の画像記録装置用インクセットを、他の実施の形態として図３に示す。図３中には、シアンのライトインク（ライトシアンインク）の色相を示す点２がプロットされているとともに、シアンのノーマルインクの色相を示す点１が、プロットされている。
ライトシアンインクの色相角度は、約２６０°、シアンのノーマルインクの色相角度は、約２４０°である。この場合には、色剤４は、ノーマルインクよりも時計回り側に色相角度をもつグリーン系やイエロー系が選定される。選定された色剤４は、ライトシアンインクに加えられて、シアンの補正ライトインク（補正ライトシアンインク）を作成する。上記色剤による色相調整により、補正ライトインクの色相角度γは、２４６°に調整される。この結果、補正ライトインクと、ノーマルインクとの色相角度差は、所定量内に収まる。
このようにライトインクの色相角度が、ノーマルインクより反時計回り側にある場合であっても、補正ライトシアンインク３は、ノーマルシアンインクとの相対的な色相角度差を所定量（約±８度）以内に収まるように作られ得る。
従来、色とびを防止するために、異系色のインクを別に吐出して印刷することにより、色相を補正する画像記録方法がある。例えば、この従来の方法では、ノーマルインクとライトインクとによりグレースケールを記録した際に、色とびが目立つような階調レベルの部分に対して、イエローやマゼンタを記録する。しかしこの方法では、記録媒体の単位面積当たりに着弾するインクドット数が過剰に多くなる。その結果、記録媒体が有する単位面積当たりのインク吸収許容量を超えてしまうおそれがある。インク吸収容量を超えた場合、にじみや着弾したインクが乾きにくいといった不具合がある。また上記方法では、インクの使用量が増えてしまうといった不具合がある。
これに対して本実施の形態の画像記録装置用インクセットでは、画像記録装置に各インクが設置された時点で既にノーマルインクと補正ライトインクとの互いの色相が補正されている。従って、本実施の形態の画像記録装置用インクセットは、上述したような不具合のおそれがない。従って、本実施の形態の画像記録装置用インクセットは、記録媒体のインク吸収容量を圧迫することなく画像を記録し得る。
なお、上述した説明では、補正ライトインクの色相をノーマルインクの色相に近づけるように、ライトインクに混合させる色剤を選定した。しかしながら、本発明はこれに限定されない。ノーマルインクの色相をライトインクの色相に近づけるように、ノーマルインクに混合させる色剤を選定することも可能である。言い換えると、ライトインクを第１インクとし、ノーマルインクに色剤を混合させたインクを第２インクとして、画像記録装置用インクセットを構成することが可能である。
なお、ライトインクに混合された色剤がどのようなものかを補正ライトインクの状態から見い出す場合には、例えばＦＴ−ＩＲ（フーリエ変換赤外分光）分析法を採用することで見い出せる。つまり、インクセット中の第１インクと第２インクとをＦＴ−ＩＲ分析法によって解析することにより、前記第２インク中に異系色の色剤が含まれるか検出し得る。なお、前記第１インクと第２インクとの色相角度差が前記所定量内に収まっているとともに、異系色の色剤が検出された場合には、当該異系色の色剤が補正ライトインクの色相角度の調整に寄与していると判断する。
なお、本実施の形態の前記溶剤は、種類に限定されることはないが、約１８８℃以上の沸点をもつ非水性溶媒が好ましい。
また、本実施の形態の画像記録装置用インクセットは、前記補正ライトインクが、ノーマルインクを溶剤により希釈して作られている。しかしながら、本実施の形態の画像記録装置用インクセットは、前記ノーマルインクとは別の材料から作られることが出来、材料において限定されることはない。
（実施例１）
以下に、上記実施の形態に従った実施例１について説明する。本実施例は、ゼロックス・エンジニアリング・システムズ社のＣｏｌｏｒｇｒａｆｘ  Ｓｕｐｐｌｉｅｓ  Ｘ２  Ｉｎｋのインクと、同社のＣｏｌｏｒｇｒａｆｘ  Ｘ２  Ｐａｐｅｒ，Ｐｒｅｓｅｎｔａｔｉｏｎ，３６０の記録媒体を用いた場合について説明する。
本実施例の画像記録装置用インクセットは、シアン、ライトシアン、マゼンタ、ライトマゼンタ、イエロー、ブラックの６色で構成されている。シアン系及びマゼンタ系のインクは、それぞれ第１インクとしてのノーマルインク（シアンインク（２６Ｒ６７８）、マゼンタインク（２６Ｒ６７９））と、ライトインク（ライトシアンインク（２６Ｒ６８１）、ライトマゼンタインク（２６Ｒ６８２））とを有している。各ライトインクは、同系色のノーマルインクよりも濃度が低い。
なお、ライトシアンインク（２６Ｒ６８１）は、シアンインク（２６Ｒ６７８）を溶剤により希釈して作られた、所謂シアンのライトインク（希釈インク）である。同様に、ライトマゼンタインク（２６Ｒ６８１）は、マゼンタインク（２６Ｒ６７９）を溶剤により希釈して作られた、所謂マゼンタのライトインク（希釈インク）である。
溶剤は、１８８℃以上の沸点を有する非水溶性溶媒が用いられる。
表１に、シアンインク（２６Ｒ６７８）及びライトシアンインク（２６Ｒ６８１）、さらにマゼンタインク（２６Ｒ６７９）及びライトシアンインク（２６Ｒ６８１）の、印字開始レベルにおける階調レベルにおけるそれぞれの色相角度（Ｈｕｅ  Ａｎｇｌｅ）を示す。
2003062333.tif 000003
本実施例では、２５６階調のシアンのグレースケールを記録する際、階調レベルが２０５階調に達したところでシアンインクを使用し始める、即ちシアンインクの印字開始レベルの階調レベルが２０５に設定されているインクジェットプリンタの場合について説明する。
表１に示されるように、階調レベル２０５におけるシアンインクの色相角度は２５４°、同階調レベルにおけるライトシアンインクの色相角度は２４２°である。つまり、両者の間には１２°の色相角度差がある。これらをａ＊ｂ＊座標（図１参照）に当てはめると、ライトシアンインクはシアンインクに比べて時計回り側に色相がある。このような濃淡の２つのインクを用いてシアンのグレースケールを記録したところ、階調レベル２０５近辺で色とびが確認された。
このような色とびを目立たなくさせるために、階調レベル２０５において、ライトシアンインク（２６Ｒ６８１）の色相をシアンインク（２６Ｒ６７８）の色相に近づけるべく、ライトシアンインクにマゼンタ系の色剤であるライトマゼンタインク（２６Ｒ６８２）を所定の割合で混合した。即ち、ライトシアンインク（２６Ｒ６８１）と色剤とにより、ノーマルインクに色相が一致若しくは近似している補正ライトインクである補正ライトシアンインクを作成する。この実施例において、補正ライトシアンインクが、第２インクである。ここで色剤をノーマルインクではなくライトインクを用いた理由は、色相角度の調整を行い易いためである。即ち、色剤の混合比が同じであっても、ライトインクのほうがノーマルインクよりも色相角度の変化する角度が小さいためである。
ライトマゼンタインク（２６Ｒ６８２）の色相角度は、約３４２°である。このインクがライトシアンインク（２６Ｒ６８１）に混合されることで、混合されたライトシアンインクの色相角度は、反時計回りに向かってまわる。即ち、補正ライトシアンインクの色相は、シアンインクの色相に近づけられる。
なお、上記混合において、シアンの補正ライトインク（補正ライトシアンインク）を作成するために、ライトシアンインクとライトマゼンタインクとを１０：１、１０：２、１０：３、１０：４、１０：５の割合で混合した。上述の割合の混合後の補正ライトシアンインクの色相角度と、シアンインクとの色相角度差が、表２中に示されている。
2003062333.tif 000004
表２中に示すように、混合比が１０：１のものと、１０：２の補正ライトシアンインクは、シアンインクとの色相角度差が±８°以内に収まっている。従って、これらの比でライトシアンインクとライトマゼンタインクとを混合して補正ライトシアンインクを作成する。
なお、ライトシアンインクとライトマゼンタインクとを１０：１の割合で混合して作られた補正ライトシアンインクとシアンインクとにより、シアンのグレースケールを記録したところ、当該グレースケールには色とびが認識されず、また粒状感もなく、滑らかに形成され得た。
さらに、本実施例で説明した補正ライトシアンインクにより記録した場合、シアンのグレースケールを記録する際に、色相補正のためにライトマゼンタインクを使用する必要がない。従って、インクの消費量は、抑えられ得る。
また、補正ライトシアンインクは、ノーマルシアンインクを溶剤によって希釈されたインクをベースに作られている。従って、補正ライトインクを製造するための別のシアンインクを用意する必要がない。このため、製造コストを抑えることができる。しかし、補正ライトシアンインクは、これに限られず上述のシアンのノーマルインクとは別のシアンインクから作成されても良い。
（実施例２）
以下に、上記実施の形態に従った実施例２の画像記録装置用インクセットについて説明する。なお、本実施例２においては、実施例１に従った画像記録装置用インクセットと同じ構成部材は、実施例１の画像記録装置用インクセットと同じ構成部材を指摘した参照符号を使用して指摘し、詳細な説明は省略する。
本実施例も第１実施例と同様、ゼロックス・エンジニアリング・システムズ社のＣｏｌｏｒｇｒａｆｘ  Ｓｕｐｐｌｉｅｓ  Ｘ２  Ｉｎｋのインクと、同社のＣｏｌｏｒｇｒａｆｘ  Ｘ２  Ｐａｐｅｒ，Ｐｒｅｓｅｎｔａｔｉｏｎ，３６０の記録媒体を用いた場合について説明する。
本実施例では、２５６階調のマゼンタのグレースケールを記録する際、階調レベルが１６６階調に達したところでマゼンタインク（ノーマルインク）を使用し始める。即ちマゼンタインクの印字開始レベルが１６６に設定されているインクジェットプリンタの場合について説明する。この実施例において、マゼンタインクを第１インクとする。
表１に示されるように、階調レベル１６６におけるマゼンタインクの色相角度は３５６°、同階調レベルにおけるライトマゼンタインクの色相角度は３４２°である。つまり、両者の間には１４°の色相角度差がある。両者をａ＊ｂ＊座標（図１参照）に当てはめると、ライトマゼンタインクはマゼンタインクに比べて時計回り側に色相がある。このような濃淡インクを用いてマゼンタのグレースケールを記録したところ、階調レベル１６６近辺で色とびが確認された。
このような色とびを目立たなくさせるために、階調レベル１６６において、ライトマゼンタインク（２６Ｒ６８２）の色相をマゼンタインク（２６Ｒ６７９）の色相に近づけるべく、ライトマゼンタインクにイエローインク（２６Ｒ６８０）を所定の割合で混合した。即ち、ライトマゼンタインク（２６Ｒ６８２）と色剤とにより、ノーマルインクに色相が一致若しくは近似している補正ライトインクである補正ライトマゼンタインクを作成する。この実施例において、補正ライトマゼンタインクが、第２インクである。
イエローインク（２６Ｒ６８０）の色相角度は、約９７°である。つまり、このインクがライトマゼンタインク（２６Ｒ６８２）に混合されることで、混合されたライトマゼンタインクの色相角度は、反時計まわりに向かってまわる。この結果、補正ライトマゼンタインクは、マゼンタインクの色相に近づけられる。
なお、上記混合において、補正ライトマゼンタインクを作成するために、ライトマゼンタインクとイエローインクとを２００：０、２００：２、２００：４、２００：６、２００：８、２００：１０の割合で混合した。このときの各混合後の補正ライトマゼンタインクの色相角度及びマゼンタインクとの色相角度差が、表３中に示されている。
2003062333.tif 000005
表３中に示すように、ライトマゼンタインクと、イエローインクとの混合比が２００：４から２００：１０のものが、マゼンタインクとの色相角度差が±８°以内に収まっている。これらの比でライトマゼンタインクとイエローインクとを混合して補正ライトマゼンタインクを作成する。
２００：８の割合で混合して作られた補正ライトマゼンタインクとマゼンタインクとにより記録された、マゼンタのグレースケールには、色とびが認識されず、また粒状感もなく、滑らかに形成され得た。
これまで、いくつかの実施の形態について図面を参照しながら具体的に説明したが、本発明は、上述した実施の形態に限定されるものではなく、その要旨を逸脱しない範囲で行なわれるすべての実施を含む。
【図面の簡単な説明】
図１は、ＣＩＥ１９７６（Ｌ＊ａ＊ｂ＊）表色系のａ＊ｂ＊座標を示す図である。
図２は、本発明の一つの実施の形態においてのａ＊ｂ＊座標中にプロットされたノーマルインク、ライトインク、補正ライトインク、色剤のそれぞれの色相を概略的に示す図である。
図３は、本発明の他の実施の形態においてのａ＊ｂ＊座標中にプロットされたノーマルインク、ライトインク、補正ライトインク、色剤のそれぞれの色相を概略的に示す図である。
図４は、補正ライトインク又はライトインクと、ノーマルインクとを用いて、２５６階調のグレースケールを記録する際の、階調レベルと各インクの印字率との関係を示す図である。
【図１】
2003062333.tif 000006
【図２】
2003062333.tif 000007
【図３】
2003062333.tif 000008
【図４】
2003062333.tif 000009
【国際調査報告】
2003062333.tif 000010
2003062333.tif 000011
2003062333.tif 000012
2003062333.tif 000013